(57)【要約】【課題】補助熱源を用いずに、空調ユニットにおけるドレン処理を行うことである。【解決手段】空調手段（13）は、睡眠室（11）に調和空気を供給する空調通路（35）と、排熱空気を室外に放出する排熱通路（36）とを備える一方、空調通路（35）に位置し、調和空気を生成する第１熱交換部（52）と、排熱通路（36）に位置し、排熱を放出する第２熱交換部（53）とを有する熱交換部材（50）を備えている。第２通路（36）における第２熱交換部（53）の下流には、ドレン回収部（38）が設けられ、該ドレン回収部（38）には、ドレンを吸水する多孔質状の蒸散板（39）が設けられている。これにより、ドレンと排熱空気との接触面積が増大し、対流効果によってドレンが蒸散される。【選択図】  図１１
2005156119.tif 000002
【特許請求の範囲】
【請求項１】
カプセル本体（20）と、該カプセル本体（20）内の睡眠室（11）を空気調和する空調手段（13）とを備え、
上記空調手段（13）は、睡眠室（11）に調和空気を供給する第１通路（35）と、排熱空気を室外に放出する第２通路（36）とを備える一方、第１通路（35）に位置し、調和空気を生成する第１熱交換部（52）と、第２通路（36）に位置し、排熱を放出する第２熱交換部（53）とを有する熱交換部材（50）を備えた睡眠カプセルであって、
上記第２通路（36）における第２熱交換部（53）の下流に設けられ、第１熱交換部（52）および第２熱交換部（53）の一方で発生したドレンを貯留するドレン回収部（38）と、
上記ドレン回収部（38）に設けられ且つ排熱空気の流通部に位置し、ドレン回収部（38）のドレンを吸水する多孔質状の吸水部材（39）とを備えている
ことを特徴とする睡眠カプセル。
【請求項２】
請求項１において、
上記熱交換部材（50）の第２熱交換部（53）は、第１熱交換部（52）の下方に位置する一方、
上記第１熱交換部（52）で発生したドレンを受けてドレン回収部（38）に導入するドレン受け（54）を備えている
ことを特徴とする睡眠カプセル。
【請求項３】
請求項２において、
上記ドレン受け（54）は、ドレン回収部（38）に向かって傾斜している
ことを特徴とする睡眠カプセル。
【請求項４】
請求項１〜３の何れか１項において、
上記吸水部材（39）は、波形に折り曲げ形成され、折り目（39a）が第２通路（36）の排熱空気の流れに沿うように配置されている
ことを特徴とする睡眠カプセル。
【請求項５】
請求項１〜４の何れか１項において、
上記空調手段（13）は、睡眠室（11）の頭部側を空気調和する頭部空調手段（14）と睡眠室（11）の脚部側を空気調和する脚部空調手段（15）とにより構成されている
ことを特徴とする睡眠カプセル。
【請求項６】
請求項１〜５の何れか１項において、
上記熱交換部材（50）は、シート状の熱電素子（51）を備え、該熱電素子（51）の両面に複数のフィンを有する第１熱交換部（52）および第２熱交換部（53）が形成されている
ことを特徴とする睡眠カプセル。
【発明の詳細な説明】
【技術分野】
【０００１】
本発明は、睡眠カプセルに関し、特に、空調ユニットにおけるドレン処理対策に係るものである。
【背景技術】
【０００２】
従来より、睡眠カプセルには、カプセル本体における睡眠室の空調を行うための空調ユニットが設けられているものがある（例えば、特許文献１参照）。
【０００３】
具体的に、上記特許文献１の睡眠カプセルは、睡眠室の頭部側および脚部側の空調を行う２台の空調ユニットがカプセル本体の床台の内部に配置されている。この空調ユニットには、いわゆるペルチェ素子である熱電素子を有し、調和空気を生成する熱交換部材（50）が設けられている。
【０００４】
上記空調ユニットでは、熱電素子で発生したドレンがドレン受けに溜まり、該ドレンを蒸発用ヒータによって加熱して蒸発させるように構成されている。
【特許文献１】特開２００３−２３２５３７号公報
【発明の開示】
【発明が解決しようとする課題】
【０００５】
しかしながら、上述したように従来の睡眠カプセルでは、ドレンを蒸発させるのに、主にヒータを用いているので、装置のコストが懸かるという問題があった。
【０００６】
本発明は、斯かる点に鑑みてなされたものであり、その目的とするところは、ヒータ等の補助熱源を用いることなく、空調ユニットにおけるドレン処理を実現することである。
【課題を解決するための手段】
【０００７】
具体的に、第１の発明は、カプセル本体（20）と、該カプセル本体（20）内の睡眠室（11）を空気調和する空調手段（13）とを備え、該空調手段（13）は、睡眠室（11）に調和空気を供給する第１通路（35）と、排熱空気を室外に放出する第２通路（36）とを備える一方、第１通路（35）に位置し、調和空気を生成する第１熱交換部（52）と、第２通路（36）に位置し、排熱を放出する第２熱交換部（53）とを有する熱交換部材（50）を備えた睡眠カプセルを前提としている。そして、上記睡眠カプセルは、第２通路（36）における第２熱交換部（53）の下流に設けられ、第１熱交換部（52）および第２熱交換部（53）の一方で発生したドレンを貯留するドレン回収部（38）と、上記ドレン回収部（38）に設けられ且つ排熱空気の流通部に位置し、ドレン回収部（38）のドレンを吸水する多孔質状の吸水部材（39）とを備えている。
【０００８】
上記の発明では、熱交換部材（50）の第１熱交換部（52）および第２熱交換部（53）が吸熱側と放熱側とに切り換わって睡眠室（11）の冷暖房が行われる。つまり、冷房時には、吸熱側となる第１熱交換部（52）で冷却された調和空気が第１通路（35）より睡眠室（11）に供給される一方、放熱側となる第２熱交換部（53）で加熱された排熱空気が室外に放出される。一方、暖房時には、放熱側となる第１熱交換部（52）で加熱された調和空気が第１通路（35）より睡眠室（11）に供給される一方、吸熱側となる第２熱交換部（53）で冷却された排熱空気が第２通路（36）より室外に放出される。その際、吸熱側となる第１熱交換部（52）または第２熱交換部（53）で空気の冷却に伴って発生したドレンがドレン回収部（38）に貯留される。
【０００９】
上記第２熱交換部（53）で加熱または冷却された排熱空気は、室外に放出される前にドレン回収部（38）の吸水部材（39）を流通する。ここで、上記ドレン回収部（38）に貯留されたドレンは、多孔質状の吸水部材（39）に吸水されるので、排熱空気との接触面積が増大する。これにより、流通する排熱空気の対流効果が増大し、吸水部材（39）のドレンが蒸散する。そして、この蒸散したドレンは、排熱空気と共に室外に放出される。
【００１０】
また、主として冷房を行う夏季の場合、空気中に含まれる水分が多いためにドレンの発生量が多くなるが、吸水部材（39）を流通する排熱空気が温風であるので、上述した対流効果に加えて加熱効果も相まって吸水部材（39）におけるドレンの蒸散が促進される。これにより、ドレン回収部（38）のドレンが過剰に溜まることなく室外に排出される。
【００１１】
また、第２の発明は、第１の発明において、上記熱交換部材（50）の第２熱交換部（53）が第１熱交換部（52）の下方に位置する一方、上記第１熱交換部（52）で発生したドレンを受けてドレン回収部（38）に導入するドレン受け（54）を備えている。
【００１２】
上記の発明では、第１通路（35）の第１熱交換部（52）で発生したドレンがドレン受け（54）に滴下し、第２通路（36）のドレン回収部（38）へ流れる。
【００１３】
また、第３の発明は、第２の発明において、上記ドレン受け（54）がドレン回収部（38）に向かって傾斜している。
【００１４】
上記の発明では、ドレン受け（54）に滴下したドレンが確実にドレン回収部（38）に流れて貯留される。
【００１５】
また、第４の発明は、第１〜３の何れか１の発明において、上記吸水部材（39）が波形に折り曲げ形成され、折り目（39a）が第２通路（36）の排熱空気の流れに沿うように配置されている。
【００１６】
上記の発明では、図１４に示すように、吸水部材（39）が複数の折り目（39a）を有して波形に折り曲げられているので、吸水部材（39）に含まれるドレンと流通する排熱空気との接触面積がより一層増大する。これにより、排熱空気の対流効果がより増大し、吸水部材（39）におけるドレンの蒸散が促進される。
【００１７】
また、上記の発明では、吸水部材（39）の折り目（39a）が排熱空気の流れに沿うように延びているので、つまり吸水部材（39）が排熱空気の流れ方向に開放しているので、排熱空気の流通抵抗が抑制される。
【００１８】
また、第５の発明は、第１〜４の何れか１の発明において、上記空調手段（13）が睡眠室（11）の頭部側を空気調和する頭部空調手段（14）と睡眠室（11）の脚部側を空気調和する脚部空調手段（15）とにより構成されている。
【００１９】
上記の発明では、頭部空調手段（14）によって就寝者の頭部の空気調和が行われる一方、脚部空調手段（15）によって就寝者の脚部の空気調和が行われる。この頭部空調手段（14）および脚部空調手段（15）において発生したドレンが個別に室外に排出される。
【００２０】
また、第６の発明は、第１〜５の何れか１の発明において、上記熱交換部材（50）は、シート状の熱電素子（51）を備えている。そして、この熱電素子（51）の両面には、複数のフィンを有する第１熱交換部（52）および第２熱交換部（53）が形成されている。
【００２１】
上記の発明では、熱電素子（51）の両面が加熱面と冷却面とに切り換わることにより、第１熱交換部（52）および第２熱交換部（53）が吸熱側と放熱側とに切り換わる。そして、上記各熱交換部（52,53）のフィンに流通空気が接触して加熱または冷却されることにより、調和空気および排熱空気となる。
【発明の効果】
【００２２】
したがって、第１の発明によれば、排熱空気が流通するドレン回収部（38）に多孔質の吸水部材（39）を設けるようにしたので、ドレンが吸水部材（39）に吸水されることにより、ドレンと排熱空気との接触面積を増大させることができる。これにより、排熱空気の対流効果が増大し、吸水部材（39）からドレンを蒸散させることができる。したがって、ヒータ等の補助熱源を用いることなく、十分なドレン排出が可能となる。この結果、装置を安価にすることができる。
【００２３】
また、冷房運転時には、加熱された排熱空気を吸水部材（39）に流通させるので、暖房運転時に比べてドレン発生量が多くなるが、排熱空気の対流効果に加えて加熱効果によってもドレンの蒸散を促進させることができるため、確実にドレンの排出が可能となる。
【００２４】
また、第２の発明によれば、ドレン受け（54）を設けるようにしたので、第１熱交換部（52）で発生したドレンを確実にドレン回収部（38）に貯留させることができる。
【００２５】
また、第３の発明によれば、ドレン受け（54）をドレン回収部（38）に向かって傾斜させるようにしたので、より確実にドレンをドレン回収部（38）に貯留させることができる。
【００２６】
また、第４の発明によれば、吸水部材（39）を波形に折り曲げて形成するようにしたので、ドレンと排熱空気との接触面積をより一層増大させることができる。これにより、排熱空気の対流効果が一層増大し、吸水部材（39）におけるドレンの蒸散を促進することができる。
【００２７】
また、吸水部材（39）を折り目（39a）が排熱空気の流れに沿うように配置するようにしたので、排熱空気の流通抵抗を抑制することができる。したがって、効率のよい運転を行うことができる。
【００２８】
また、第５の発明によれば、睡眠室（11）の頭部側と脚部側とに個別に空調手段（13）を設けるようにしたので、個別制御をすれば、睡眠室（11）を就寝者の快適性に適した空調状態にすることができる。
【発明を実施するための最良の形態】
【００２９】
以下、本発明の実施形態を図面に基づいて詳細に説明する。
【００３０】
《発明の実施形態》
図１〜図１４に示すように、本実施形態の睡眠カプセル（10）は、仮眠等を行うためのもので、就寝者が就寝し得る比較的小空間の密閉空間を構成している。
【００３１】
上記睡眠カプセル（10）は、カプセル本体（20）と、該カプセル本体（20）の上方を覆い就寝空間である睡眠室（11）を形成する覆い部材（40）と、睡眠室（11）を空気調和する空調手段である頭部空調手段（14）および脚部空調手段（15）とを備えている。
【００３２】
上記カプセル本体（20）は、床台（21）と、該床台（21）の上面における前部両側部に設けられた略台形状の補助側板（23）とを備えている。そして、上記床台（21）の上面における前端部には、頭部空調手段（14）の一部を構成する空気流出入部（60）が頭部側の縦板を兼ねて２つの補助側板（23）の間に亘って取り付けられている。つまり、上記カプセル本体（20）は、両側の大半および脚部側が開放されている。また、上記床台（21）の上部は、就寝者の就寝部である睡眠用のベッド（22）に形成されている。なお、本実施形態では、就寝者の頭部側を前側とし、就寝者の脚部側を後側としている。
【００３３】
上記覆い部材（40）は、図２および図３に示すように、幌式に構成され、８本の支骨（41a,41b）と幌布（42）とを備えている。８本の支骨（41a,41b）は、門形に形成され、２本の第１支骨（41a）と該第１支骨（41a）よりも細い６本の第２支骨（41b）とを備えている。２本の第１支骨（41a）は、下端部が床台（21）の両側中央部に設けられた回動自在な回動軸（41c）に取り付けられ、覆い部材（40）の頭部側である前端部および脚部側である後端部に位置して配置されている。６本のうち３本の第２支骨（41b）は、下端部（45b）が頭部側の第１支骨（41a）の両側部に取り付けられ、残り３本の第２支骨（41b）は、下端部（45b）が脚部側の第１支骨（41a）の両側部に取り付けられている。
【００３４】
上記幌布（42）は、８本の支骨（41a,41b）を覆うように該８本の支骨（41a,41b）に取り付けれらている。そして、上記頭部側の第１支骨（41a）が２つの補助側板（23）および空気流出入部（60）に固定され、脚部側の第１支骨（41a）が床台（21）に対して前後に回動自在に構成されている。したがって、上記覆い部材（40）は、脚部側の第１支骨（41a）をカプセル本体（20）の頭部側と脚部側との間で回動させて折り畳み状態と展開状態とになって睡眠室（11）を開閉するように構成されている。つまり、本実施形態の睡眠カプセル（10）では、覆い部材（40）と２つの補助側板（23）と空気流出入部（60）とが睡眠室（11）の区画部材を構成している。なお、上記脚部側の第１支骨（41a）の両側部には、該第１支骨（41a）を手動で回動させるための取っ手（43）が設けられている。
【００３５】
また、上記覆い部材（40）には、睡眠室（11）の気流調整手段である１枚の気流制御シート（45）が設けられている。この気流制御シート（45）は、脚部側の第１支骨（41a）に取り付けられた３本の第２支骨（41b）のうち、脚部側から２本目の第２支骨（41b）に両側に亘って設けられると共に、上端部（45a）が第２支骨（41b）の上部全体に亘って取り付けられている。つまり、上記気流制御シート（45）は、睡眠室（11）における脚部側に配置されている。また、上記気流制御シート（45）は、覆い部材（40）が展開状態である閉状態において、上端部（45a）から下端部（45b）に向かって睡眠室（11）の頭部側に傾斜するように形成され、且つ、下端部（45b）とカプセル本体（20）の就寝面であるベッド（22）との間に所定間隔を存する上下長さに形成されている。つまり、上記気流制御シート（45）は、覆い部材（40）が閉状態において、脚部側から２本目の第２支骨（41b）に沿って傾斜している。なお、この所定間隔は、就寝者の脚部に支障のない、且つ、就寝者へ睡眠室（11）における圧迫感を与えない間隔に設定されている。
【００３６】
上記ベッド（22）の後端部である就寝者の脚部側には、後述する脚部空調ユニット（17）の吹出口（71）および吸込口（72）が形成されている。つまり、上記吹出口（71）および吸込口（72）は、カプセル本体（20）の就寝面に沿って形成され、上方に向かって開口している。
【００３７】
上記気流制御シート（45）は、脚部側の吹出口（71）より上方に吹き出して上昇した調和空気が気流制御シート（45）の傾斜面に沿って睡眠室（11）の下部へと流れ、脚部側の吸込口（72）に吸い込まれるように構成されている。つまり、上記気流制御シート（45）は、脚部側の吹出口（71）と吸込口（72）との間にショートサーキット領域が形成され、睡眠室（11）の脚部側に調和空気の気流空間が形成されるように構成されている。
【００３８】
上記空調手段（13）は、睡眠室（11）の頭部側を空気調和する頭部空調手段（14）と睡眠室（11）の脚部側を空気調和する脚部空調手段（15）とにより構成されている。上記頭部空調手段（14）は、頭部空調ユニット（16）および空気流出入部（60）を備えている。一方、上記脚部空調手段（15）は、脚部空調ユニット（17）を備えている。
【００３９】
上記空気流出入部（60）は、図４および図５に示すように、吹出口（61）と吸込口（62）とがベッド（22）の前側である頭部側に形成され、吹出口（61）と吸込口（62）との間でショートサーキットを生ずる気流流れを形成し、主として就寝者の頭部の空気調和を行うように構成されている。上記空気流出入部（60）は、吹出通路（63）と吸込通路（64）とを備えている。この吹出通路（63）は、縦通路（6a）と横通路（6b）とを備えている。上記縦通路（6a）は、空気流出入部（60）の側部に形成され、下端が給気口（33）に連通し、上端が横通路（6b）に連通している。上記横通路（6b）は、空気流出入部（60）の上部に形成されている。そして、上記吹出口（61）は、空気流出入部（60）のベッド（22）側に向いた前面に横通路（6b）が開口するように形成されている。
【００４０】
上記横通路（6b）には、風速を調整する調節手段としての仕切板（6c）が設けられている。この仕切板（6c）は、横通路（6b）に沿って左右にスライド移動自在に形成され、吹出口（61）より吹き出す調和空気の風速を調整するように構成されている。上記吹出口（61）には、吹出風速分布を均一化する共に、吹出通路（63）が正圧となるように整流メッシュ（6d）が設けられている。
【００４１】
上記吸込通路（64）は、横通路（6b）の下方に位置し、還気口（34）が連通する共に、吸込口（62）が形成されている。そして、この吸込口（62）が空気流出入部（60）のベッド（22）側に向いた前面に開口している。
【００４２】
上記空気流出入部（60）の吹出口（61）と吸込口（62）とは、近傍に位置し、吸込口（62）が吹出口（61）の真直下方に位置している。更に、上記吹出口（61）の開口面積が吸込口（62）の開口面積よりも大きく形成され、吹出流速を小さくして就寝者の頭部へのドラフトを防止している。尚、上記吹出口（61）の開口面積は、吸込口（62）の開口面積よりも必ずしも大きくする必要はなく、要するに、ドラフトを防止し得る吹出流速となる大きさであればよい。
【００４３】
上記頭部空調ユニット（16）および脚部空調ユニット（17）は、図６〜図１０に示すように、空調ファン（31）および排熱ファン（32）が収納されたファン部（30a）と、主として熱交換部材であるペルチェユニット（50）が収納された空気調和部（30b）とにより構成されている。この頭部空調ユニット（16）および脚部空調ユニット（17）は、床台（21）の内部に配置されている。そして、上記頭部空調ユニット（16）は、ベッド（22）の前端部の両側部に給気口（33）と還気口（34）とが形成されている。この給気口（33）および還気口（34）は、空気流出入部（60）に接続されている。一方、上記脚部空調ユニット（17）は、上述したようにベッド（22）の後端部の両側部に吹出口（71）と吸込口（72）とが形成されている。なお、上記頭部空調ユニット（16）および脚部空調ユニット（17）は、ほぼ同一に構成されているので、ここでは頭部空調ユニット（16）について説明する。
【００４４】
上記ファン部（30a）は、直方体に形成され、ベッド（22）の両側に亘るように形成されている。上記ファン部（30a）の内部は、第１仕切板（3e）によって右側の空間と左側の空間とに仕切られている。上記右側の空間は、右側通路（35a）を構成し、空調ファン（31）が設けられている。上記左側の空間は、第２仕切板（3f）によって上側の左上通路（35c）と下側の左下通路（36a）とに仕切られている。そして、上記左下通路（36a）には、排熱ファン（32）が設けられている。
【００４５】
上記ファン部（30a）の背面板（3a）には、左下通路（36a）に開口する外気取入れ口（3g）が形成され、前面板（3b）には、左上通路（35c）に開口する左上開口（3h）と左下通路（36a）に開口する左下開口（3i）と右側通路（35a）に開口する右上開口（3j）とが形成されている。この右上開口（3j）は、前面板（3b）の右上に形成されている。上記ファン部（30a）の天板（3c）には、後側の両側部に給気口（33）と還気口（34）とが形成されている。なお、この給気口（33）および還気口（34）は、脚部空調ユニット（17）においては吹出口（71）および吸込口（72）となる。また、上記外気取入れ口（3g）は、床台（21）の側面に形成された空気口（2a）に連通している。
【００４６】
上記空気調和部（30b）は、ファン部（30a）より小さい直方体に形成され、ファン部（30a）の前面板（3b）に接続されている。上記空気調和部（30b）の内部は、第３仕切板（3p）によって上側の上部通路（35b）と下側の下部通路（36b）とに仕切られている。そして、上記ペルチェユニット（50）が上部通路（35b）と下部通路（36b）とに跨って設けられている。
【００４７】
上記空気調和部（30b）の背面側である第１パネル（3k）には、ファン部（30a）の前面板（3b）における各開口（3h,3i,3j）に対応する開口が形成されている。上記空気調和部（30b）の右側の側板である第２パネル（3s）には、下部通路（36b）に開口する第２排熱口（3r）が形成されている。上記空気調和部（30b）は、前面の下部に設けられた補助板（3n）とＬ字型のカバー（3m）とによって上面および前面が構成されている。そして、上記カバー（3m）の前面側には、右下に切欠き部が形成されている。該切欠き部は、下部通路（36b）に開口する第１排熱口（3q）に形成されている。
【００４８】
上記頭部空調ユニット（16）では、空気流出入部（60）で取り込まれた睡眠室（11）の室内空気が還気口（34）からファン部（30a）に流入し、右側通路（35a）、空気調和部（30b）の上部通路（35b）、ペルチェユニット（50）、ファン部（30a）の左上通路（35c）を流れ、給気口（33）より空気流出入部（60）に流入する流路が第１通路である空調通路（35）に構成されている（図１０に示す破線を参照）。一方、上記頭部空調ユニット（16）では、室外空気が外気取入れ口（3g）からファン部（30a）に流入し、左下通路（36a）、空気調和部（30b）の下部通路（36b）、ペルチェユニット（50）を流れ、第１排熱口（3q）および第２排熱口（3r）から室外に放出される流路が第２通路である排熱通路（36）に構成されている（図１０に示す二点鎖線を参照）。
【００４９】
次に、上記ペルチェユニット（50）およびその周辺について、図１１〜図１４を参照しながら説明する。上記ペルチェユニット（50）は、熱電素子（51）と第１熱交換部（52）および第２熱交換部（53）とを備えている。上記熱電素子（51）は、いわゆるペルチェ素子であり、長方形のシート状に形成されている。上記第１熱交換部（52）および第２熱交換部（53）は、熱電素子（51）の上面および下面に設けられている。上記第１熱交換部（52）および第２熱交換部（53）は、熱電素子（51）を挟み込み、該熱電素子（51）と同じ大きさに形成された板状の台座（52b,53b）を備えている。該各台座（52b,53b）には、複数のフィンで構成された第１フィン群（52a）および第２フィン群（53a）が設けられている。そして、上記第１熱交換部（52）および第２熱交換部（53）は、熱電素子（51）の上面および下面が加熱面と冷却面とに切り換わることにより、吸熱側と放熱側とに切り換わるように構成されている。つまり、冷房時には、上記第１熱交換部（52）が吸熱側となり、該第１熱交換部（52）で冷却された調和空気が睡眠室（11）に供給される一方、第２熱交換部（53）が放熱側となり、該第２熱交換部（53）で加熱された排熱空気が室外に放出される。一方、暖房時には、第１熱交換部（52）が放熱側となり、該第１熱交換部（52）で加熱された調和空気が睡眠室（11）に供給される一方、第２熱交換部（53）が吸熱側となり、該第２熱交換部（53）で冷却された排熱空気が第２通路（36）より室外に放出される。
【００５０】
上記ペルチェユニット（50）は、ファン部（30a）内で第１熱交換部（52）が上部通路（35b）に位置し、第２熱交換部（53）が下部通路（36b）に位置するように配置されている。つまり、上記第２熱交換部（53）は、第１熱交換部（52）の下方に位置している。そして、上記下部通路（36b）における第２熱交換部（53）の下流には、第１熱交換部（52）および第２熱交換部（53）の一方で発生したドレンを貯留するためのドレン回収部（38）が設けられている。ここで、上記第１フィン群（52a）および第２フィン群（53a）は、側面視が各通路（35b,36b）に向かって細くなる台形状に形成されている。したがって、上記ペルチェユニット（50）は、ドレン回収部（38）に向かって傾斜している。なお、上記第１フィン群（52a）および第２フィン群（53a）の両側面には、細長い直方体状のバイパス防止材（56）が設けられている。このバイパス防止材（56）は、フィン群（52a,53a）と通路（35b,36b）との隙間を塞ぐように構成されている。
【００５１】
また、上記ペルチェユニット（50）には、熱電素子（51）および第１熱交換部（52）の台座（52b）の全周に亘って覆うように設けられた容器であるドレン受け（54）を備えている。このドレン受け（54）は、底面が熱電素子（51）や台座（52b）と平行になるように設けられている。つまり、上記ドレン受け（54）は、ドレン回収部（38）に向かって傾斜している。上記ドレン受け（54）は、底面におけるドレン回収部（38）側に垂下したドレンホース（55）が設けられている。このドレンホース（55）の下端は、ドレン回収部（38）の上方に位置している。そして、上記ドレン受け（54）は、第１熱交換部（52）で発生したドレンを受け、ドレンホース（55）からドレン回収部（38）に導入するように構成されている。なお、上記下部通路（36b）の底面は、第２熱交換部（53）で発生したドレンが滴下してドレン回収部（38）に向かって流れるように傾斜している。
【００５２】
上記ドレン回収部（38）には、本発明の特徴として、吸水部材である蒸散板（39）が設けられている。つまり、上記第２熱交換部（53）で加熱または冷却された排熱空気が蒸散板（39）を流通することになる。この蒸散板（39）は、多孔質状に形成され、且つ波形に折り曲げ形成されている。これにより、蒸散板（39）と排熱空気との接触面積が増大されることになる。また、上記蒸散板（39）は、折り目（39a）が下部通路（36b）の方向に沿うように配置されている。つまり、上記蒸散板（39）は、折り目（39a）が排熱空気の流れに沿うように配置されている。これにより、排熱空気の流通抵抗が抑制されることになる。そして、上記蒸散板（39）は、ドレン回収部（38）のドレンを吸水するように構成されている。
【００５３】
−運転動作−
次に、上述した睡眠カプセル（10）の空調動作について説明する。
【００５４】
上記ベッド（22）には、仮眠等を行う就寝者が睡眠室（11）に入り、頭部側で折り畳まれている覆い部材（40）を取っ手（43）を持って脚部側に回動して展開し、就寝する。そして、
上記頭部空調ユニット（16）の空調ファン（31）および排熱ファン（32）を駆動すると、頭部側の還気口（34）より睡眠室（11）の室内空気が空調通路（35）に吸い込まれる。この空調通路（35）の空気は、ペルチェユニット（50）の第１熱交換部（52）を通り、加熱または冷却されて調和空気が生成される。つまり、上記熱電素子（51）は、冷却面と加熱面とが形成されるので、冷房運転時には第１熱交換部（52）が冷却され、第２熱交換部（53）が加熱される。一方、暖房運転時には第１熱交換部（52）が加熱され、第２熱交換部（53）が冷却される。
【００５５】
この調和空気は、給気口（33）から空気流出入部（60）へ流入し、吹出通路（63）の縦通路（6a）および横通路（6b）を流れて吹出口（61）より睡眠室（11）に吹き出す。つまり、上記空気流出入部（60）の吹出口（61）より吹き出る調和空気は、就寝者の頭部に吹き出し、下方の吸込口（62）に吸い込まれる。
【００５６】
上記空気流出入部（60）の吸込口（62）に吸い込まれた空気は、吸込通路（64）を流れ、還気口（34）より頭部空調ユニット（16）の空調通路（35）に流れる。その後、空調通路（35）の空気は、ペルチェユニット（50）を経て空調ファン（31）に戻り、上述の動作が繰り返される。
【００５７】
一方、上記外気取入れ口（3g）より外気が排熱通路（36）に導入される。この排熱通路（36）の空気は、排熱ファン（32）を経て、ペルチェユニット（50）の第２熱交換部（53）を通り、加熱または冷却された後、ドレン回収部（38）の蒸散板（39）を流通し、第１排熱口（3q）および第２排熱口（3r）より頭部空調ユニット（16）の外部に放出される。なお、この空気は、床台（21）の空気口（2a）よりカプセル本体（20）の外部に放出される。
【００５８】
上記睡眠室（11）の頭部側である空気流出入部（60）において、調和空気は、吹出口（61）より睡眠室（11）に吹き出すことになるが、吸込口（62）が真下に位置するので、局所的なショートサーキットを起こす。これにより、上記調和空気の多くが吸込口（62）に吸い込まれ、吸込通路（64）から還気口（34）に流れることになる。したがって、上記吹出口（61）および吸込口（62）の前方にショートサーキット領域が形成され、就寝者の頭部を覆う調和空気の気流空間が形成されることによって就寝者の頭部の空気調和が行われる。
【００５９】
一方、上記睡眠室（11）の脚部側では、ペルチェユニット（50）の第１熱交換部（52）で生成された調和空気が、図３に矢印（白抜き）で示すように、吹出口（71）より上方に吹き出し、幌布（42）に沿って睡眠室（11）の上部へと上昇する。この上昇した調和空気は、気流制御シート（45）に当たって前方斜め下に方向転換し、睡眠室（11）の下部へと流れて吸込口（72）に吸い込まれる。つまり、上記吹出口（71）より吹き出す調和空気は、睡眠室（11）の上部に溜まることなく、また睡眠室（11）の頭部側へと流れることなく、就寝者の脚部が位置する睡眠室（11）の下部へ確実に流れることになる。
【００６０】
上記睡眠室（11）の脚部側において、調和空気は、吹出口（71）より上方に吹き出すことになるが、気流制御シート（45）によって下方に流れてショートサーキットを起こす。これにより、上記調和空気の多くが吸込口（72）に吸い込まれ、脚部空調ユニット（17）の空調通路（35）に流れることになる。したがって、上記吹出口（71）および吸込口（72）の上方にショートサーキット領域が形成され、就寝者の脚部を覆う調和空気の気流空間が形成されることによって就寝者の脚部の空気調和が行われる。
【００６１】
上記運転中には、ペルチェユニット（50）でドレンが発生する。例えば、冷房運転の場合、第１熱交換部（52）で発生したドレンは、ドレン受け（54）に滴下し、ドレンホース（55）からドレン回収部（38）に流れ落ちて貯留される。このドレンは、蒸散板（39）に吸水され、流通する排熱空気との接触面積が増大する。したがって、排熱空気の対流効果が増大するので、蒸散板（39）からドレンが確実に蒸散する。この蒸散したドレンは、排熱空気と共に室外に放出される。また、冷房運転の場合、排熱空気は温風であるので、上述した対流効果に加えて加熱効果も相まって、蒸散板（39）におけるドレンの蒸散が促進される。
【００６２】
一方、暖房運転の場合、第２熱交換部（53）で発生したドレンは、下部通路（36b）の底面に滴下してドレン回収部（38）に流れて貯留される。このドレンは、蒸散板（39）に吸水され、流通する排熱空気との接触面積が増大する。したがって、冷房運転時と同様に蒸散板（39）からドレンが確実に蒸散する。この蒸散したドレンは、排熱空気と共に室外に放出される。また、この暖房運転の場合、排熱空気は冷風であるために上述した暖房運転時のように加熱効果は期待できないが、冬季においては空気中に含まれる水分が少なく、ドレン発生量が少ないため、排熱空気の対流効果のみで十分に蒸散板（39）からドレンを蒸散させることができる。
【００６３】
−実施形態の効果−
以上のように、本実施形態によれば、排熱空気の流通部であるドレン回収部（38）に多孔質で且つ吸水性を有する蒸散板（39）を設けるようにしたので、ドレンと排熱空気との接触面積を増大させることができる。これにより、排熱空気の対流効果が増大し、蒸散板（39）からドレンを蒸散させることができる。したがって、ヒータ等の補助熱源を用いることなく、十分なドレン排出が可能となる。この結果、装置を安価にすることができる。
【００６４】
また、上記ドレン受け（54）を設けるようにしたので、第１熱交換部（52）で発生したドレンを確実にドレン回収部（38）に貯留させることができる。さらに、上記ドレン受け（54）をドレン回収部（38）に向かって傾斜させるようにしたので、より確実にドレンをドレン回収部（38）に貯留させることができる。
【００６５】
また、上記蒸散板（39）を波形に折り曲げて形成するようにしたので、ドレンと排熱空気との接触面積をより一層増大させることができる。これにより、排熱空気の対流効果が一層増大し、蒸散板（39）におけるドレンの蒸散を促進することができる。
【００６６】
また、冷房運転時には、暖房運転時に比べてドレン発生量が多くなるが、加熱された排熱空気を蒸散板（39）に流通させるので、排熱空気の対流効果に加えて加熱効果によってもドレンの蒸散を促進させることができ、確実にドレンの排出が可能となる。
【００６７】
また、上記蒸散板（39）を折り目（39a）が排熱空気の流れに沿うように配置するようにしたので、排熱空気の流通抵抗を抑制することができる。したがって、効率のよい運転を行うことができる。
【００６８】
《その他の実施形態》
本発明は、上記実施形態について、以下のような構成としてもよい。
【００６９】
例えば、上記実施形態においては、空調通路（35）と排熱通路（36）とを上下方方向に隣接して形成するようにしたが、左右方向に隣接して形成するようにしてもよい。その場合、両通路（35,36）に亘ってドレン回収部（38）を設けることになるが、該ドレン回収部（38）を排熱通路（36）側に傾斜させ、ドレンを排熱通路（36）側に集合させる。これにより、排熱空気の対流効果によってドレンを蒸散させることができる。
【００７０】
また、上記ペルチェユニット（50）は熱電素子（51）に限られるものではなく、蒸気圧縮式冷凍サイクルの蒸発器や凝縮器であってもよい。
【産業上の利用可能性】
【００７１】
以上説明したように、本発明は、空調機能を備えた睡眠カプセルとして有用である。
【図面の簡単な説明】
【００７２】
【図１】実施形態に係る睡眠カプセルを覆い部材を省略して示す斜視図である。
【図２】実施形態に係るカプセル本体を示す分解斜視図である。
【図３】実施形態に係る空気流出入部を示す斜視図である。
【図４】実施形態に係る睡眠カプセルを示す側面図である。
【図５】実施形態に係る睡眠カプセルを幌布の一部を省略して示す側面図である。
【図６】実施形態に係る空調ユニットを示す平面図である。
【図７】実施形態に係る空調ユニットを示す正面図である。
【図８】実施形態に係る空調ユニットを示す右側の側面図である。
【図９】実施形態に係る空調ユニットを示す背面図である。
【図１０】実施形態に係る空調ユニットを示す分解斜視図である。
【図１１】実施形態に係るペルチェユニットおよびドレン回収部を示す概略構成図である。
【図１２】実施形態に係るペルチェユニットを示す斜視図である。
【図１３】実施形態に係るペルチェユニットの要部を示す概略構成図であり、(ａ)および(ｂ)は、側面図および平面図を示すものである。
【図１４】実施形態に係る蒸散板を示す概略構成図であり、(ａ)および(ｂ)は、側面図および正面図を示すものである。
【符号の説明】
【００７３】
10        睡眠カプセル
11        睡眠室
13        空調手段
14        頭部空調手段
15        脚部空調手段
20        カプセル本体
35        空調通路（第１通路）
36        排熱通路（第２通路）
38        ドレン回収部
39        蒸散板（吸水部材）
39a       折り目
50        ペルチェユニット（熱交換部材）
51        熱電素子
52        第１熱交換部
53        第２熱交換部
54        ドレン受け
【図１】
2005156119.tif 000003
【図２】
2005156119.tif 000004
【図３】
2005156119.tif 000005
【図４】
2005156119.tif 000006
【図５】
2005156119.tif 000007
【図６】
2005156119.tif 000008
【図７】
2005156119.tif 000009
【図８】
2005156119.tif 000010
【図９】
2005156119.tif 000011
【図１０】
2005156119.tif 000012
【図１１】
2005156119.tif 000013
【図１２】
2005156119.tif 000014
【図１３】
2005156119.tif 000015
【図１４】
2005156119.tif 000016